(57)【要約】【課題】本発明は、録画番組のリストを表示する際に、表示画面が小さい場合であっても、ユーザが各々の録画番組の番組内容を詳細に把握できるように表示することができる携帯端末、表示装置、及び携帯端末の表示方法を提供する。【解決手段】テレビ放送を録画する録画手段（Ｓ１０１）と、テレビ放送から字幕情報を抽出する抽出手段（Ｓ１０５）と、録画された各々のテレビ番組について、前記抽出手段により抽出された字幕情報を記憶する記憶手段（Ｓ１０９）と、記憶された各々の録画番組の字幕情報を表示する表示手段と、を備えた。【選択図】  図３
2010200000.tif 000002
【特許請求の範囲】
【請求項１】
テレビ番組を録画する録画手段と、
テレビ番組から字幕情報を抽出する第１の抽出手段と、
前記録画手段により録画された各々のテレビ番組について、前記第１の抽出手段により抽出された字幕情報を記憶する記憶手段と、
前記記憶手段により記憶された各々の録画番組の字幕情報を表示する表示手段と、
を備えたことを特徴とする携帯端末。
【請求項２】
前記第１の抽出手段は、前記録画手段による録画開始時刻から所定時間の間、字幕情報を抽出することを特徴とする請求項１記載の携帯端末。
【請求項３】
前記第１の抽出手段は、字幕情報のうちの制御情報を含んでいる部分を表示用情報として抽出し、
前記記憶手段は、前記第１の抽出手段により抽出された表示用情報を記憶し、
前記表示手段は、前記記憶手段により記憶された表示用情報を表示することを特徴とする請求項１記載の携帯端末。
【請求項４】
前記第１の抽出手段は、前記録画手段による録画開始時刻から、前記制御情報を含んでいる箇所が抽出されるまでの間、字幕情報を抽出することを特徴とする請求項１記載の携帯端末。
【請求項５】
前記記憶手段に記憶された字幕情報から、制御情報を含んでいる部分を表示用情報として抽出する第２の抽出手段を備え、
前記表示手段は、前記第２の抽出手段により抽出された表示用情報を表示することを特徴とする請求項１記載の携帯端末。
【請求項６】
前記第１の抽出手段は、前記録画手段により録画されたテレビ番組が字幕情報を含んでいない場合、番組情報を抽出することを特徴とする請求項１記載の携帯端末。
【請求項７】
前記録画手段により録画されたテレビ番組の映像情報から、所定時刻の静止画像を抽出する第３の抽出手段を備え、
前記記憶手段は、前記第３の抽出手段により抽出された静止画像を字幕情報と併せて記憶し、
前記表示手段は、前記記憶手段により記憶された字幕情報及び静止画像を同時に表示することを特徴とする請求項１記載の携帯端末。
【請求項８】
テレビ番組を録画する録画手段と、
テレビ番組から字幕情報を抽出する第１の抽出手段と、
前記録画手段により録画された各々のテレビ番組について、前記第１の抽出手段により抽出された字幕情報を記憶する記憶手段と、
前記記憶手段により記憶された各々の録画番組の字幕情報を表示する表示手段と、
を備えたことを特徴とする表示装置。
【請求項９】
テレビ番組を録画する録画ステップと、
テレビ番組から字幕情報を抽出する第１の抽出ステップと、
前記録画ステップにて録画された各々のテレビ番組について、前記第１の抽出ステップにて抽出された字幕情報を記憶する記憶ステップと、
前記記憶ステップにて記憶された各々の録画番組の字幕情報を表示する表示ステップと、
を備えたことを特徴とする携帯端末の表示方法。
【発明の詳細な説明】
【技術分野】
【０００１】
本発明は、録画したテレビ番組をリスト表示する際、ユーザが各々の番組内容を詳細に把握できるように表示することができる携帯端末、表示装置、及び携帯端末の表示方法に関する。
【背景技術】
【０００２】
近年、携帯電話機等の携帯端末において、地上波デジタルテレビ放送等のテレビ放送を受信して視聴できるテレビ視聴機能が搭載されるようになってきた。また、これらの携帯端末は、テレビ視聴機能のみでなく、録画・再生機能を同時に備えていることが一般的になってきた。よって、携帯端末で録画番組をリスト表示する際のユーザインタフェースの改善が図られてきた。
【０００３】
例えば特許文献１には、情報の記録再生、あるいは再生のみ、あるいは記録のみを行う際の映像シーン検索に関するユーザアクセスが改善された情報再生装置が記載されている。この情報再生装置は、クローズドキャプション（ＣＣ）情報を含むテレビジョン信号のＣＣ情報から、字幕の特徴となるキャラクタのみ、あるいは字幕の特徴となるキャラクタとテキスト情報以外の付加情報、あるいはテキスト情報以外の付加情報のみを検出し、それらの情報の変化を解析し、変化した情報と映像とを関連付けることにより映像シーン検索を容易にし、記録再生、あるいは再生のみ、あるいは記録のみを行うものである。
【先行技術文献】
【特許文献】
【０００４】
【特許文献１】特開２００４−２５３０５０号公報
【発明の概要】
【発明が解決しようとする課題】
【０００５】
携帯電話機等の携帯端末において、地上波デジタルテレビ放送等で放送されているテレビ番組を録画した後、これらの録画番組のリスト表示を行う際、各々の録画番組について、番組情報に含まれる番組名や映像情報に含まれる静止画像（サムネイル画像）のリストを表示するのが一般的である。
【０００６】
しかしながら、録画番組の番組名がリスト表示される際には、例えば定期的に放送される番組が複数回録画されている場合等、番組名だけでユーザが番組内容を把握することは困難であるという問題があった。また、録画番組のサムネイル画像がリスト表示された際には、例えば定期的に放送される番組が複数回録画されている場合等にサムネイル画像が類似したものになってしまい、ユーザが各々の録画番組の番組内容を把握することが困難であるという問題があった。あるいは、録画番組のサムネイル画像がリスト表示される際に、携帯端末に表示可能な画面サイズは制限されているため、小さなディスプレイに複数のサムネイル画像が表示されても、各々のサムネイル画像が小さ過ぎてユーザがこれらのサムネイル画像から番組内容を把握することが困難であるという問題があった。
【０００７】
ここで、地上波デジタルテレビ放送等のテレビ放送は、映像情報や音声情報に加えて、字幕情報や番組情報等の文字情報を含んでいる。よって、携帯端末で録画番組のリスト表示を行う際に、テレビ番組に含まれる字幕情報等の文字情報を用いてリスト表示を行うことにより、小さなディスプレイに各々の録画番組の番組内容を詳細に表示されることが望ましい。
【０００８】
本発明は、上記課題を鑑みてなされたものであり、録画番組のリストを表示する際に、表示画面が小さい場合であっても、ユーザが各々の録画番組の番組内容を詳細に把握できるように表示することができる携帯端末、表示装置、及び携帯端末の表示方法を提供することを目的とする。
【課題を解決するための手段】
【０００９】
上記課題を解決するために、本発明に係る携帯端末は、テレビ放送を録画する録画手段と、テレビ放送から字幕情報を抽出する抽出手段と、前記録画手段により録画された各々のテレビ番組について、前記抽出手段により抽出された字幕情報を記憶する記憶手段と、前記記憶手段により記憶された各々の録画番組の字幕情報を表示する表示手段と、を備えたことを特徴とする。
【発明の効果】
【００１０】
本発明に係る携帯端末、表示装置、及び携帯端末の表示方法によると、録画番組のリストを表示する際に、録画番組が含んでいる字幕情報等の文字情報に基づいて、各々の番組について注目すべき文字情報を抽出して表示画面に表示させることにより、表示画面が小さい場合であっても、ユーザが各々の録画番組の番組内容を詳細に把握できるように表示することが可能となる。
【図面の簡単な説明】
【００１１】
【図１】（Ａ）は、本発明に係る携帯端末（携帯電話機）の閉じた状態を示す斜視図、（Ｂ）は、本発明に係る携帯端末（携帯電話機）の開いた状態を示す斜視図。
【図２】本発明に係る携帯端末（携帯電話機）の機能を示すブロック図。
【図３】第１実施形態の携帯電話機が録画制御処理を行う際の手順を示すフローチャート。
【図４】第１実施形態の携帯電話機が番組リスト表示処理を行う際の手順を示すフローチャート。
【図５】第１実施形態の携帯電話機における番組リスト表示画面を示す画面図。
【図６】第２実施形態の携帯電話機が録画制御処理を行う際の手順を示すフローチャート。
【図７】第２実施形態の携帯電話機が番組リスト表示処理を行う際の手順を示すフローチャート。
【発明を実施するための形態】
【００１２】
〔第１実施形態〕
本発明に係る携帯端末の第１実施形態について、図１乃至図５を参照しながら説明する。第１実施形態の携帯端末として、複数の筐体がスライド自在に結合されてなるスライド型の携帯電話機１を例に挙げて説明する。
【００１３】
図１（Ａ）は、携帯電話機１の閉じた状態を示す斜視図、図１（Ｂ）は、携帯電話機１の開いた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、所定方向（例えば長手方向；図１のＸ方向）に相互に所定長さだけスライド可能なように結合されていて、上筐体１０を下筐体１１に対してスライドさせることにより、閉じた状態から開いた状態に、あるいは開いた状態から閉じた状態に変形する。
【００１４】
上筐体１０の外面（下筐体１１に対面しない側の面）には、文字や画像等からなる画面を表示するためのディスプレイ１２、音声を出力するためのスピーカ１３、ユーザにより押下されることにより指示を入力する操作キー１４が設けられている。操作キー１４は、例えば、発呼を指示するための発呼キー、終話を指示するための終話キー、メール機能の起動を指示するためのメールキー、テレビ視聴機能の起動を指示するためのテレビキー、上下左右の方向を入力するための方向キー等である。
【００１５】
これらのディスプレイ１２、スピーカ１３、及び操作キー１４は、携帯電話機１が閉じた状態であっても開いた状態であっても外部に露出するように設けられている。よって、携帯電話機１が閉じた状態であっても開いた状態であっても、ユーザはディスプレイ１２の画面を視認したり操作キー１４を介して指示を入力したりすることができる。
【００１６】
下筐体１１の内面（上筐体１０に対面する側の面）には、ユーザにより押下されることにより指示を入力する操作キー１５、音声を集音するためのマイクロフォン１６が設けられている。操作キー１５は、例えば、数字や文字を入力するためのテンキー等である。
【００１７】
これらの操作キー１５やマイクロフォン１６は、携帯電話機１が閉じた状態のときには、上筐体１０により覆われていて外部に露出していないが、上筐体１０を下筐体１１に対してスライドさせて開いた状態に変形させたときには、外部に露出される。よって、携帯電話機１が開いた状態のときには、ユーザは操作キー１５を介して指示を入力することができるが、携帯電話機１が閉じた状態のときには、ユーザは操作キー１５を介して指示を入力することができない。よってユーザは、携帯電話機１を開いた状態に変形させてから操作キー１５を用いて指示を入力する。
【００１８】
下筐体１１の側面には、ユーザにより押下されることにより指示を入力するサイドキー１７が設けられている。これらのサイドキー１７は、携帯電話機１が閉じた状態であっても開いた状態であっても外部に露出するように設けられている。よって、携帯電話機１が閉じた状態であっても開いた状態であっても、ユーザはサイドキー１７を介して指示を入力することができる。
【００１９】
次に、携帯電話機１の機能について、図２に示すブロック図を用いて説明する。携帯電話機１は、図２に示すように、主制御部２０、電源回路部２１、表示制御部２２、記憶部２３、外部メモリ接続部２４、音声制御部２５、通信制御部２６、テレビ受信部２７、映像再生制御部２８、及びタイマー部２９を備えていて、これらはバスＢによって相互に通信可能に接続されている。
【００２０】
主制御部２０は、様々なデータ処理や演算を行うＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する録画制御処理や番組リスト表示処理等や、その他の様々な処理を行う。また主制御部２０は、操作キー１４、１５、サイドキー１７に対する入力インタフェースを備え、操作キー１４、１５、サイドキー１７のうちのいずれかのキーが押下された際に、この押下されたキーに対応付けられた様々な処理を行う。さらに主制御部２０は、例えばＲＴＣ（Ｒｅａｌ  Ｔｉｍｅ  Ｃｌｏｃｋ）回路を用いて計時する内蔵時計を備えていて、現在時刻を常時計時している。
【００２１】
電源回路部２１は、ユーザによる操作キー１４、１５を介した入力に基づいて電源のＯＮ／ＯＦＦ状態を切り替え、電源がＯＮ状態の場合には電力供給源（バッテリ等）から各部に対して電力を供給して、携帯電話機１を動作可能にする。表示制御部２２は、ディスプレイ１２の表示インタフェースを備え、主制御部２０の制御に基づいて、テレビ視聴画面や番組リスト表示画面等の様々な表示画面をディスプレイ１２に表示する。
【００２２】
記憶部２３は、主制御部２０が処理を行う際に使用するデータを一時的に記憶するＲＡＭ（Ｒａｎｄｏｍ  Ａｃｃｅｓｓ  Ｍｅｍｏｒｙ）、主制御部２０が行う処理の処理プログラム等を格納するＲＯＭ（Ｒｅａｄ  Ｏｎｌｙ  Ｍｅｍｏｒｙ）、ハードディスク、不揮発性メモリ等の記憶装置を具備する。主制御部２０が後述する録画制御処理や番組リスト表示処理等を行う際の処理プログラムは、例えばＲＯＭに記憶されている。
【００２３】
外部メモリ接続部２４は、例えばＳＤ（Ｓｅｃｕｒｅ  Ｄｉｇｉｔａｌ）カード（登録商標）やＵＳＢ（Ｕｎｉｖｅｒｓａｌ  Ｓｅｒｉａｌ  Ｂｕｓ）メモリ等の外部メモリＭに対する入出力インタフェースを備え、外部メモリＭが携帯電話機１に電気的に接続された際に、この外部メモリＭに対してデータの書き込み処理や読み込み処理を行う。
【００２４】
音声制御部２５は、主制御部２０の制御に基づいて、マイクロフォン１６で集音した音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、スピーカ１３から音声として出力する。
【００２５】
通信制御部２６は、主制御部２０の制御に基づいて、アンテナ２６ａを介して受信した受信信号をスペクトラム逆拡散処理してデータを復元する。このデータは、主制御部２０の指示により、ディスプレイ１２に表示されたり記憶部２３に記録されたりする。また通信制御部２６は、主制御部２０の制御に基づいて、操作キー１４、１５を介して入力されたデータや記憶部２３に記憶されたデータに対してスペクトラム拡散処理を行い、アンテナ２６ａを介して送信する。
【００２６】
地デジ受信部２７は、チューナ２７ａ、復調部２７ｃ、ＴＳデコーダ２７ｄ、字幕デコーダ２８ｅを備えている。チューナ２７ａは、地上波デジタルテレビ放送の放送局（図示せず）から放送された地上波デジタルテレビ放送（地上波デジタルワンセグ放送も含む）の変調波ａを、アンテナ２７ｂを介して受信する。復調部２７ｃは、チューナ２７ａが受信した変調波ａを取得して復調し、地上波デジタルテレビ放送の符号化映像情報ｂを生成する。ＴＳデコーダ２７ｄは、復調部２７ｃが生成した符号化映像情報ｂを取得して復号し、符号化映像情報ｂのうちの音声情報ｃを音声制御部２５または記憶部２３へ伝送するとともに、符号化映像情報ｂのうちの動画像情報ｄを映像再生制御部２８または記憶部２３に、符号化映像情報ｂのうちの文字情報ｅを字幕デコーダ２７ｅまたは記憶部２３に伝送する。
【００２７】
音声情報ｃを受信した音声制御部２５は、この音声情報ｃをスピーカ１３から音声として出力する。動画像情報ｄを受信した映像再生制御部２８は、この動画像情報ｄを表示制御部２２を介してディスプレイ１２に表示する。文字情報ｅを受信した字幕デコーダ２７ｅは、この文字情報ｅから字幕情報ｆを生成して、表示制御部２２または記憶部２３に伝送する。
【００２８】
映像再生制御部２８は、地デジ受信部２７により受信された地上波デジタルテレビ放送の動画像情報ｄや記憶部２３に記憶されている動画像情報ｄを取得すると、これらの動画像情報ｄを表示制御部２２を介してディスプレイ１２に表示する。また映像再生制御部２８は、主制御部２０の制御に基づいて、動画像情報ｄに含まれる所定時刻の静止画の画像ファイルｇを記憶部２３に記憶する。この画像ファイルｇは、記憶部２３に記憶されている動画像情報ｄのリストを表示するために、サムネイル画像を生成するときに使用される。
【００２９】
タイマー部２９は、主制御部２０の指示に基づいて、所定時間の経過を通知するタイマー処理を行う。タイマー部２９は、主制御部２０からタイマー開始指示を受信すると、このタイマー開始指示に基づいて所定時間（タイマー時間）の計時を開始し、所定時間が経過した際に、主制御部２０にタイマー終了通知を送信する。
【００３０】
従来の携帯電話機は、テレビ番組を録画した後に録画番組をリスト表示する際、各々の録画番組の番組名やサムネイル画像がリスト表示されるのが一般的であった。この場合、表示画面のサイズに制限がある携帯端末では、小さな表示画面に複数のサムネイル画像を表示しなければならず、ユーザが各々の録画番組の番組内容を把握して番組リストから所望の番組を探し出すことが困難であった。例えば、毎週放送されるニュース番組が毎週録画されている場合などには、各々の録画番組のサムネイル画像が類似した画像になってしまったり、番組名が同一になってしまったりして、ユーザが所望の番組を判別して視聴することが困難であった。
【００３１】
また、携帯電話機１により受信される地上波デジタルテレビ放送波には、画像情報や映像情報に加えて字幕情報や番組情報等の文字情報が含まれている。そこで、携帯電話機１は、録画番組をリスト表示する際に、サムネイル画像のみを利用するのではなく、録画された番組に含まれている字幕情報などの文字情報を記憶しておき、番組のリストを表示する際に、記憶された文字情報を表示させる。このときに表示される文字情報は、例えば、字幕情報において修飾情報が設定されている箇所から抽出された文字情報である。これにより、携帯電話機１は、字幕情報に対して複雑な内容解析を実施することなく、番組内で注目すべき文字情報を簡単に抽出して表示させることができる。
【００３２】
具体的には、携帯電話機１は、地上波デジタルテレビ放送等のテレビ放送を受信してテレビ番組を録画する際に、テレビ放送のストリームから字幕情報を取り出し、字幕情報のうちの特定の部分を表示用情報として記憶部２３に記憶する。このときに記憶される部分は、字幕情報において、色や点滅等の表示制御方法を示す制御情報（修飾情報）が付加された部分であり、このような修飾情報が付加された部分は、テレビ番組内でユーザに注目させたい情報である可能性が高いためである。
【００３３】
テレビ放送の字幕パケットのヘッダなどには、例えば表示機能や表示タイミングなどを制御するための制御符号が含まれていて、ここで言う制御情報は、表示対象の字幕のうちの特に強調させて表示させたい部分に付される、例えば文字サイズ、文字色、文字の背景色、点滅、下線などの制御符号を示す制御情報とする。
【００３４】
なお、字幕情報に付加されている時刻情報に基づいて、各々の連続した字幕の間に時間間隔がある場合には、テレビ番組において場面が切り替っている可能性が高いため、時間間隔が開いた後の字幕情報を表示用情報として記憶するようにしても良い。または、字幕情報のうちの記憶される部分は、テレビ番組の先頭の字幕情報であっても、番組の先頭から一定時間経過後の字幕情報であっても良い。
【００３５】
携帯電話機１は、録画番組をリスト表示する際に、各々の録画番組について、録画時に記憶した表示用情報を取得して、ディスプレイ１２の表示画面３０に表示する。表示される録画番組リストは表示画面３０内に収まるように表示されてもよいし、テロップ表示により表示されてもよいし、あるいは、字幕情報に含まれていた修飾情報に従って、表示色が変更されたり点滅したりして表示されてもよい。また、携帯電話機１は、常に字幕情報の一部のみを表示するのでなく、録画番組をリスト表示する際にサムネイル画像を表示して、カーソルが合ったときにのみ表示用情報を表示するようにしても良く、または、カーソルが合ったときにのみ表示用情報をテロップ表示するようにしても、カーソルが合ったときに色が変更されたり点滅したりして表示されても良い。
【００３６】
まず、携帯電話機１がテレビ番組を録画する録画制御処理を行う手順について、図３に示すフローチャートに基づいて説明する。以下、例えば「ステップＳ１０１」を「Ｓ１０１」のように、「ステップ」の語句を省略して説明する。
【００３７】
まず主制御部２０は、ユーザの操作に基づいて、受信しているテレビ放送の録画処理を開始する（Ｓ１０１）。このとき主制御部２０は、テレビ受信部２７により受信されたテレビ放送波のうち、録画対象のテレビ番組の映像情報や音声情報、文字情報等を記憶部２３に記憶する。主制御部２０は、ステップＳ１０１にて録画しているテレビ番組の文字情報を取得する（Ｓ１０３）。
【００３８】
主制御部２０は、ステップＳ１０３にて取得した文字情報から字幕情報を抽出する（Ｓ１０５）。このとき抽出される字幕情報は、録画が開始されてから所定時間（例えば秒〜分単位で）内に表示される字幕情報であっても良い。または、テレビ放送を再生するために一纏まりに纏められた最初の字幕情報であっても良い。
【００３９】
そして主制御部２０は、ステップＳ１０５にて抽出した字幕情報から、制御情報が含まれる部分を表示用情報として抽出する（Ｓ１０７）。制御情報は、字幕情報の各部に付加される修飾情報であり、字幕情報において特に強調させて表示させたい部分、例えば色を指定して表示させたい部分、点滅表示させたい部分、表示位置を指定したい部分、文字サイズを指定して表示させたい部分等に付加されている。ステップＳ１０５にて抽出された字幕情報に制御情報が含まれていないことを防止するために、ステップＳ１０５にて抽出された字幕情報に制御情報が含まれていない場合には、制御情報が含まれている字幕情報が抽出されるまで、ステップＳ１０３にてテレビ番組から文字情報を抽出してステップＳ１０５にて字幕情報を抽出する処理を繰り返すようにすると良い。
【００４０】
主制御部２０は、ステップＳ１０７にて抽出された情報を表示用情報として、記憶部２３に記憶する（Ｓ１０９）。主制御部２０は、録画が終了したか否かを判断する（Ｓ１１１）。主制御部２０は、ユーザの操作に基づいて、あるいはタイマーによって、ステップＳ１０１にて開始した録画処理を終了する。
【００４１】
録画処理が終了していない場合（Ｓ１１１のＮｏ）は、ステップＳ１０３に戻って、主制御部２０は再びステップＳ１０３乃至Ｓ１１１の処理を行う。録画処理が終了した場合（Ｓ１１１のＹｅｓ）は、主制御部２０は録画制御処理を終了する。例えば、ステップＳ１０７にて番組Ａの表示用情報「開会式が始まりました…」が記憶されるとともに、記憶部２３には既に番組Ｂの表示用情報「各国の聖火リレーが厳…」、番組Ｃの表示用情報「日本選手団の入場で…」等が記憶されているものとする。
【００４２】
このようにして携帯電話機１は、テレビ番組を録画する際、テレビ番組に含まれている字幕情報から制御情報を含んでいる部分を抽出して、表示用情報として記憶しておく。この表示用情報は、録画番組のリスト表示を行うときに使用される。
【００４３】
次に、携帯電話機１は、ユーザの操作に基づいて、ステップＳ１０１乃至Ｓ１１１の処理を行って録画されたテレビ番組をリストにして表示する番組リスト表示処理を行う。携帯電話機１がこの番組リスト表示処理を行う際の手順を、図４に示すフローチャートに基づいて説明する。
【００４４】
ユーザは、録画番組を視聴したい場合等に、操作キー１４、１５やサイドキー１７を介した入力に基づいて、携帯電話機１に録画番組のリスト表示を指示する。よって主制御部２０は、録画番組のリスト表示が指示されたか否かを判断する（Ｓ２０１）。この際、主制御部２０は、操作キー１４、１５やサイドキー１７を介した所定の操作に基づいて、録画番組のリスト表示が指示されたものと判断する。録画番組のリスト表示が指示されていない場合（Ｓ２０１のＮｏ）は、主制御部２０はそのまま待機する。
【００４５】
録画番組のリスト表示が指示された場合（Ｓ２０１のＹｅｓ）は、主制御部２０は、記憶部２３に記憶されている各々のテレビ番組の表示用情報を取得する（Ｓ２０３）。そして主制御部２０は、ステップＳ２０３にて取得した表示用情報をリストとしてディスプレイ１２の表示画面３０に表示する（Ｓ２０５）。
【００４６】
図５は、録画番組のリスト表示を行った際のディスプレイ１２の表示画面３０を示す画面図である。図５に示すように、表示画面３０には、各々の録画番組について、ステップＳ１０９にて記憶された表示用情報が記された選択項目３１（例えば番組Ａの「開会式が始まりました…」、番組Ｂの「各国の聖火リレーが厳…」、番組Ｃの「日本選手団の入場で…」等の表示用情報が記された選択項目３１）がリストとして表示される。ユーザは、操作キー１４、１５やサイドキー１７を用いて所望の録画番組の選択項目３１を選択することにより、視聴したい録画番組を選択する。
【００４７】
このようにして携帯電話機１は、録画番組をリスト表示する際、各々の録画番組について、テレビ番組を録画するときに字幕情報から抽出された表示用情報をリストとして表示する。ユーザは、録画番組を視聴したい場合に、これらの表示用情報に基づいて各々の録画番組の番組内容を把握して、所望の録画番組を選択することができる。
【００４８】
なお、例えば録画対象のテレビ番組が字幕情報を含んでいなかった場合等には、ステップＳ１０５にて字幕情報を抽出する代わりに番組情報を取得して、ステップＳ１０９にて番組情報を記憶しても良い。この場合には、ステップＳ２０５にて字幕情報の代わりに番組情報が表示される。
【００４９】
また、ステップＳ１０３にて文字情報を取得する際に映像情報を併せて取得して、ステップＳ１０５にて映像情報から所定時刻の静止画像（サムネイル画像）を併せて抽出して、ステップＳ１０９にてサムネイル画像を併せて記憶しても良い。この場合には、ステップＳ２０３にて表示用情報と併せてサムネイル画像が取得されて、ステップＳ２０５にて表示用情報及びサムネイル画像が同時に表示されると良い。なお、表示用情報及びサムネイル画像を同時に表示する場合には、ステップＳ１０３にて文字情報が取得された時刻におけるサムネイル画像を表示させると良い。
【００５０】
または、携帯電話機１が録画番組をリスト表示する際に、例えば、通常は先頭のサムネイル画像を表示しつつ、カーソルが合ったときに表示用情報と表示用情報が表示された時刻のサムネイル画像とが同時に表示されるようにしても良い。
【００５１】
第１実施形態によると、録画番組のリストを表示する際に、録画番組が含んでいる字幕情報等の文字情報に基づいて、各々の番組について注目すべき文字情報を抽出して表示画面に表示させることにより、ディスプレイ１２の表示画面３０が小さい場合であっても、ユーザが各々の録画番組の番組内容を詳細に把握できるように表示することが可能となる。これにより、ユーザは、各々の録画番組の番組内容を詳細に把握して、所望の番組を簡単に選択して携帯端末で視聴することができる。
【００５２】
〔第２実施形態〕
本発明に係る携帯端末の第２実施形態について、図６及び図７を参照しながら説明する。なお、第１実施形態と同一の構成には同一の符号を付し、重複する説明を省略する。第２実施形態の携帯端末は、図１（Ａ）及び図１（Ｂ）に示すように、第１実施形態の携帯電話機１と同一の構成を備えた携帯電話機１である。また、第２実施形態の携帯電話機１は、図２に示すように、第１実施形態の携帯電話機１と同様に、主制御部２０、電源回路部２１、表示制御部２２、記憶部２３、外部メモリ接続部２４、音声制御部２５、通信制御部２６、テレビ受信部２７、映像再生制御部２８、及びタイマー部２９を備えていて、これらはバスＢによって相互に通信可能に接続されている。
【００５３】
第１実施形態の携帯電話機１は、テレビ番組を録画するときに表示用情報を抽出して記憶するものであったが、第２実施形態の携帯電話機１は、録画番組をリスト表示するときに表示用情報を抽出するものである。
【００５４】
第２実施形態の携帯電話機１が、この録画制御処理を行う手順について、図６及び図７に示すフローチャートに基づいて説明する。まず主制御部２０は、ユーザの操作に基づいて、受信しているテレビ放送の録画処理を開始する（Ｓ３０１）。このとき主制御部２０は、テレビ受信部２７により受信されたテレビ放送波のうち、録画対象のテレビ番組の映像情報や音声情報、文字情報等を記憶部２３に記憶する。
【００５５】
主制御部２０は、ステップＳ３０１にて録画しているテレビ番組の文字情報を取得する（Ｓ３０３）。主制御部２０は、ステップＳ３０３にて取得した文字情報から字幕情報を抽出する（Ｓ３０５）。そして主制御部２０は、ステップＳ３０５にて抽出した字幕情報を記憶部２３に記憶する（Ｓ３０７）。
【００５６】
主制御部２０は、録画が終了したか否かを判断する（Ｓ３０９）。主制御部２０は、ユーザの操作に基づいて、あるいはタイマーによって、ステップＳ３０１にて開始した録画処理を終了する。録画処理が終了していない場合（Ｓ３０９のＮｏ）は、ステップＳ３０３に戻って、主制御部２０は再びステップＳ３０３乃至Ｓ３０９の処理を行う。録画処理が終了した場合（Ｓ３０９のＹｅｓ）は、主制御部２０は録画制御処理を終了する。
【００５７】
このようにして携帯電話機１は、テレビ番組を録画する際、テレビ番組に含まれている字幕情報を抽出して記憶しておく。この字幕情報は、録画番組のリスト表示を行うときに使用される。
【００５８】
次に、携帯電話機１は、ユーザの操作に基づいて、ステップＳ３０１乃至Ｓ３０９の処理を行って録画されたテレビ番組をリストにして表示する番組リスト表示処理を行う。携帯電話機１がこの番組リスト表示処理を行う際の手順を、図７に示すフローチャートに基づいて説明する。
【００５９】
ユーザは、録画番組を視聴したい場合等に、操作キー１４、１５やサイドキー１７を介した入力に基づいて、携帯電話機１に録画番組のリスト表示を指示する。よって主制御部２０は、録画番組のリスト表示が指示されたか否かを判断する（Ｓ４０１）。この際、主制御部２０は、操作キー１４、１５やサイドキー１７を介した所定の操作に基づいて、録画番組のリスト表示が指示されたものと判断する。録画番組のリスト表示が指示されていない場合（Ｓ４０１のＮｏ）は、主制御部２０はそのまま待機する。
【００６０】
録画番組のリスト表示が指示された場合（Ｓ４０１のＹｅｓ）は、主制御部２０は、記憶部２３に記憶されている複数のテレビ番組のうち、１のテレビ番組の字幕情報を取得する（Ｓ４０３）。そして主制御部２０は、ステップＳ４０３にて取得した字幕情報から、制御情報が含まれる部分を表示用情報として抽出する（Ｓ４０５）。制御情報は、字幕情報の各部に付加される修飾情報であり、字幕情報において特に強調させて表示させたい部分等に付加されている。
【００６１】
主制御部２０は、未処理の録画番組があるか否かを判断する（Ｓ４０７）。すなわち主制御部２０は、記憶部２３に記憶されている複数の録画番組のうち、ステップＳ４０３乃至Ｓ４０５の処理を行っていない録画番組があるか否かを判断する。未処理の録画番組があった場合（Ｓ４０７のＹｅｓ）は、ステップＳ４０３に戻って、ステップＳ４０３乃至Ｓ４０５の処理を行う。
【００６２】
未処理の録画番組がなかった場合（Ｓ４０７のＮｏ）は、主制御部２０は、ステップＳ２０５の処理と同様に、ステップＳ４０５にて抽出した表示用情報をリストとしてディスプレイ１２の表示画面３０に表示する（Ｓ４０９）。
【００６３】
このようにして携帯電話機１は、録画番組をリスト表示する際、各々の録画番組について、テレビ番組を録画するときに記憶された字幕情報から、制御情報を含んでいる部分を表示用情報として抽出して、リストとして表示する。ユーザは、録画番組を視聴したい場合に、これらの表示用情報に基づいて各々の録画番組の番組内容を把握して、所望の録画番組を選択することができる。
【００６４】
第２実施形態によると、録画番組のリストを表示する際に、録画番組が含んでいる字幕情報等の文字情報に基づいて、各々の番組について注目すべき文字情報を抽出して表示画面に表示させることにより、ディスプレイ１２の表示画面３０が小さい場合であっても、ユーザが各々の録画番組の番組内容を詳細に把握できるように表示することが可能となる。これにより、ユーザは、各々の録画番組の番組内容を詳細に把握して、所望の番組を簡単に選択して携帯端末で視聴することができる。
【００６５】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯ゲーム機、携帯テレビ等、テレビ視聴機能及び録画機能を備えた携帯端末であれば、任意の携帯端末であって良い。
【符号の説明】
【００６６】
１…携帯電話機，１０…上筐体，１１…下筐体，１２…ディスプレイ，１３…スピーカ，１４、１５…操作キー，１６…マイクロフォン，１７…サイドキー，２０…主制御部，２１…電源回路部，２２…表示制御部，２３…記憶部，２４…外部メモリ接続部，２５…音声制御部，２６…通信制御部，２６ａ…アンテナ，２７…テレビ受信部，２７ａ…チューナ，２７ｂ…アンテナ，２７ｃ…復調部，２７ｄ…ＴＳデコーダ，２７ｅ…字幕デコーダ，２８…映像再生制御部，２９…タイマー部，３０…表示画面，３１…番組情報表示欄。
【図１】
2010200000.tif 000003
【図２】
2010200000.tif 000004
【図３】
2010200000.tif 000005
【図４】
2010200000.tif 000006
【図５】
2010200000.tif 000007
【図６】
2010200000.tif 000008
【図７】
2010200000.tif 000009